(57)【要約】【課題】  メダル受け皿からメダル収容箱へのメダル移し替え作業を簡便にすると共に当該作業に要する時間を可及的に短縮できるように構成した遊技機を提供する。【解決手段】  スロットマシン１０は、ＲＯＭ装置の抽選プログラムによる抽選結果に応じて回胴リール装置２７の作動を制御すると共に、抽選結果に応じた数の遊技メダルＭをメダル受け皿１６に払い出すように構成される。メダル受け皿１６は、受け皿底部を、遊技メダルＭの落下を規制する閉止状態と許容する開放状態とに変更するように回動し得る底蓋部材２５と、底蓋部材２５を回動させるための回動操作部材２６と、回動操作部材２６と底蓋部材２５との間に介在されて、回動操作部材２６の回動力に基づき、底蓋部材２５を、受け皿底部を閉止状態とする第１位置から受け皿底部を開放状態とする第２位置に回動させる底蓋回動機構２８とを備えている。【選択図】      図３
2005204701.tif 000002
【特許請求の範囲】
【請求項１】
抽選手段による抽選結果に応じて回胴リール装置の作動を制御すると共に、前記抽選結果に応じた数の遊技メダルをメダル受け皿に払い出してなる遊技機において、
前記メダル受け皿が、
遊技機本体の幅方向に沿う軸にて支持されて、受け皿底部を、前記遊技メダルの落下を規制する閉止状態と許容する開放状態とに変更するように回動し得る底蓋部材と、
前記底蓋部材を回動させるための回動操作部材と、
前記回動操作部材と前記底蓋部材との間に介在されて、前記回動操作部材の回動力に基づき、前記底蓋部材を、前記受け皿底部を前記閉止状態とする第１位置から前記受け皿底部を前記開放状態とする第２位置に回動させる底蓋回動機構と、
を備えることを特徴とする遊技機。
【請求項２】
前記底蓋部材が、前記遊技機本体の前後方向に分割される一対の分割底蓋部材からなる、
ことを特徴とする請求項１に記載の遊技機。
【請求項３】
前記底蓋部材が、前記遊技機本体の幅方向の略中央部に配置された１個の蓋部材からなることを特徴とする請求項１に記載の遊技機。
【請求項４】
前記受け皿底部が、前記底蓋部材に向かって両側から夫々下方に傾斜していることを特徴とする請求項３に記載の遊技機。
【請求項５】
前記底蓋回動機構が、
前記回動操作部材の一方向の回動を許容し且つ他方向の回動を阻止するラチェット機構と、
前記ラチェット機構による前記回動操作部材の回動規制を解除する解除機構と、
前記解除機構が前記回動規制を解除したとき前記第２位置の前記底蓋部材を前記第１位置に向けて復帰させる復帰手段と、
を備えることを特徴とする請求項１ないし４のいずれか１項に記載の遊技機。
【発明の詳細な説明】
【技術分野】
【０００１】
本発明は、スロットマシン等の遊技機に関し、特にメダル受皿のメダル収容機能を改善して使用性を向上するようにした遊技機に関する。
【背景技術】
【０００２】
一般に、遊技機、例えばスロットマシンとして、複数種の絵柄からなるシンボルマークを円周方向に多数備えた横３列の回胴リールを、スタートレバー操作に基づき回転させた後、３個のストップボタンを夫々押圧操作することで各ボタンに対応する回胴リールを順次停止させ、各回胴リールに備えたシンボルマークのうちの所定の絵柄同士が一致したとき当たりとなって、多数の遊技メダル（以下、単に「メダル」とも言う）をメダル受け皿に放出する構造のものが知られている（例えば、特許文献１参照）。
【０００３】
ところで、スロットマシンが多数台配備された遊技店では、複数台が並ぶ各列を複数列平行に配置すると共に、遊技店内のスペースを可能な限り有効利用して可及的に多くの台を配備しなければならず、また払いされた遊技メダルをできるだけ多く見せて、出入りする他の客に対して店のサービスをアピールしたい等の関係上、メダル受け皿が比較的小さく形成されている。
【０００４】
【特許文献１】特開２００３−２７５３７２号公報（図１ないし図３参照）
【発明の開示】
【発明が解決しようとする課題】
【０００５】
近年のスロットマシンでは、遊技中、ビッグボーナスと呼ばれる特別役に１回当選すると、例えば３５０〜４００枚の遊技メダルの払い出しが行われる。このようなビッグボーナスに連続して当選する場合、上述したような比較的小さなメダル受け皿は、払い出された多数の遊技メダルで直ぐに満杯となってしまい、メダル受け皿から溢れ出す遊技メダルをメダル収容箱（いわゆるドル箱）に頻繁に移し替えなければならない事態となる。
【０００６】
従って、上述のようにビッグボーナスが連続するような場合、遊技者は、メダル収容箱を一方の手で把持しながら、他方の手でメダル受け皿内のメダルを掻き出してメダル収容箱に移し替えるという煩雑な作業を余儀なくされる。また、メダル収容箱は一般に約１０００枚程度のメダルしか収容することができないため、ビッグボーナスの連続当選時等には、比較的短時間で満杯になり易い。このため、メダルを移し替えたメダル収容箱を、遊技店床面上やスロットマシン上部の箱収容スペース内に置いた後、別の収容箱にメダルを移し替える作業を繰り返し行わなければならず、その際にメダルをこぼしてしまう等の問題があった。
【０００７】
また、いわゆるアシストタイム（ＡＴ）に当選した場合にはメダルが連続して払い出されるため、メダル収容箱へのメダル移行が頻々となって、上述と同様、メダルを床面にこぼしてしまう等の問題を招き易い。遊技者にとっては特に、閉店間際に上記ＡＴのような役に当選した場合、メダル収容箱にメダルを移行させる作業に費やす時間さえも惜しく感じられるような事情もあり、従って、メダル受け皿からメダル収容箱へのメダル移し替え作業に要する時間を可及的に短縮させることが強く望まれる。
【０００８】
そこで本発明は、メダル受け皿の底部に開閉自在なメダル落下用の開口を設け、メダル受け皿からメダル収容箱へのメダル移し替え作業を簡便にすると共に当該作業に要する時間を可及的に短縮できるように構成し、もって上述した課題を解決した遊技機を提供することを目的とするものである。
【課題を解決するための手段】
【０００９】
請求項１に記載の発明は、抽選手段による抽選結果に応じて回胴リール装置の作動を制御すると共に、前記抽選結果に応じた数の遊技メダルをメダル受け皿に払い出してなる遊技機において、
前記メダル受け皿が、
遊技機本体の幅方向に沿う軸にて支持されて、受け皿底部を、前記遊技メダルの落下を規制する閉止状態と許容する開放状態とに変更するように回動し得る底蓋部材と、
前記底蓋部材を回動させるための回動操作部材と、
前記回動操作部材と前記底蓋部材との間に介在されて、前記回動操作部材の回動力に基づき、前記底蓋部材を、前記受け皿底部を前記閉止状態とする第１位置から前記受け皿底部を前記開放状態とする第２位置に回動させる底蓋回動機構と、
を備えることを特徴としている。
【００１０】
請求項２に記載の発明は、請求項１に記載の遊技機の発明において、前記底蓋部材が、前記遊技機本体の前後方向に分割される一対の分割底蓋部材からなることを特徴としている。
【００１１】
請求項３に記載の発明は、請求項１に記載の遊技機の発明において、前記底蓋部材が、前記遊技機本体の幅方向の略中央部に配置された１個の蓋部材からなることを特徴としている。
【００１２】
請求項４に記載の発明は、請求項３に記載の遊技機の発明において、前記受け皿底部が、前記底蓋部材に向かって両側から夫々下方に傾斜していることを特徴としている。
【００１３】
請求項５に記載の発明は、請求項１ないし４のいずれか１項に記載の遊技機の発明において、前記底蓋回動機構が、
前記回動操作部材の一方向の回動を許容し且つ他方向の回動を阻止するラチェット機構と、
前記ラチェット機構による前記回動操作部材の回動規制を解除する解除機構と、
前記解除機構が前記回動規制を解除したとき前記第２位置の前記底蓋部材を前記第１位置に向けて復帰させる復帰手段と、
を備えることを特徴としている。
【発明の効果】
【００１４】
請求項１に記載の発明によれば、ビッグボーナス等の特別役の当選が連続したりアシストタイム（ＡＴ）に当選したりした際にメダル受け皿が比較的短時間で満杯になっても、受け皿底部の閉止状態から遊技者が回動操作部材を回動操作するだけで、その回動力に基づく底蓋回動機構によって底蓋部材を、遊技機本体の幅方向に沿う軸を中心として遊技機本体の前後方向に回動させて、受け皿底部を開放状態にし、これにより、遊技メダルをメダル受け皿からその下方のメダル収容箱に容易に落下させることができる。従って、メダル受け皿からメダル収容箱へのメダル移し替え作業を簡便に行うことができると共に、この移し替え作業に要する時間を可及的に短縮することができる。
【００１５】
請求項２に記載の発明によれば、底蓋部材が遊技機本体の前後方向に分割される一対の分割底蓋部材からなるので、メダル収容箱内に収容された多数の遊技メダルの、メダル収容箱への落下を一層速やかに行うことができるようになる。
【００１６】
請求項３に記載の発明によれば、底蓋部材が遊技機本体の幅方向の略中央部に配置された１個の蓋部材からなるので、回動操作部材を回動操作するだけで底蓋部材を回動させて受け皿底部を開放状態にし得る構造を、より簡素な構成によって実現することができる。
【００１７】
請求項４に記載の発明によれば、メダル受け皿の底部が底蓋部材に向かって両側から下方に傾斜しているので、底蓋部材を開放する場合、メダル受け皿内の遊技メダルを、底蓋部材開放後の開口部に向かって案内しつつ、より簡便に遊技メダルをメダル収容箱に落下させることができる。
【００１８】
請求項５に記載の発明によれば、底蓋回動機構がラチェット機構、解除機構及び復帰手段を備えるので、メダル収容箱へのメダル移し替え作業を終えた遊技者が解除機構を操作するだけで、ラチェット機構による回動規制を解除して、開放状態の底蓋部材を第１位置に復帰させ、簡単且つ確実に受け皿底部を閉止状態に戻すことができる。
【発明を実施するための最良の形態】
【００１９】
以下、本発明の遊技機の実施形態として、遊技場等に設置されるスロットマシンについて図１ないし図１１を参照して説明する。
【００２０】
図１は本発明の第１の実施形態におけるスロットマシンの外部構造を概略的に示す斜視図、図２は本スロットマシンのメダル受け皿及びその周辺部を拡大して示す斜視図、図３は図２に示したメダル受け皿の開放状態を示す斜視図、図４はメダル受け皿に備えた底蓋回動機構の詳細を示す側面図、図５はメダル受け皿の閉止状態を示す側面断面図、図６はメダル受け皿の開放状態を示す側面断面図である。また、図７は本発明の第２の実施形態におけるメダル受け皿及びその周辺部を拡大して示す斜視図、図８は図７に示したメダル受け皿の開放状態を示す斜視図、図９はメダル受け皿の底面の傾斜形状を示す正面図、図１０はメダル受け皿の閉止状態を示す側面断面図、図１１はメダル受け皿の開放状態を示す側面断面図である。
【００２１】
＜第１の実施形態＞
本スロットマシン１０は、図１に示すように、筐体１１ａと、筐体１１ａの一側部に開閉自在に取り付けられて遊技者に面する前扉１１ｂとを備えて構成されている。なお、これら筐体１１ａと前扉１１ｂとによって遊技機本体が構成されている。
【００２２】
前扉１１ｂは、図１の上下方向における略中央部分に操作パネル１３を有し、操作パネル１３の上方及び下方に、液晶表示パネル１５及びメダル受け皿１６を夫々有している。液晶表示パネル１５の上方には、クレジット枚数、ベット（ＢＥＴ）枚数、及び払い出し状況等を表示するための遊技状態表示部１７が設けられている。上記操作パネル１３には、上面にベットボタン２０及びメダル投入部２１が配置され、前面にスタートレバー２２及び３個のストップボタン２３が配置されている。また、液晶表示パネル１５中央の透過窓には、横３列の回胴リール２７ａを有する回胴リール装置２７が臨んでいる。なお、図１中の符号１２は灰皿、１４はメダル払い出し口、１８は裏面にスピーカを有する報音部を夫々示している。
【００２３】
次に、図２及び図３を参照して、本スロットマシン１０のメダル受け皿１６におけるメダル放出構造について詳細に説明する。
【００２４】
即ち、本スロットマシン１０は、不図示のＲＯＭ装置に格納された抽選プログラム（抽選手段）による抽選結果に応じて回胴リール装置２７の作動を制御すると共に、上記抽選結果に応じた数の遊技メダルＭをメダル受け皿１６に払い出すように構成されており、このメダル受け皿１６は、底蓋部材２５、回動操作部材２６及び底蓋回動機構２８を備えている。
【００２５】
上記底蓋部材２５は、遊技機本体の幅方向（図１及び図２における矢印Ａ方向）に沿う軸２４ａ，２４ｂ，２９ａ，２９ｂにて支持されて、メダル受け皿１６を、遊技メダルＭの落下を規制する閉止状態（図２及び図５参照）と許容する開放状態（図３及び図６参照）とに変更するように回動し得る。当該底蓋部材２５は、遊技機本体の前後方向（図１及び図２における矢印Ｂ方向）に分割される一対の分割底蓋部材２５ａ，２５ｂによって構成されており、分割底蓋部材２５ａは軸２４ａ，２９ａによって遊技機本体の前後方向に回動自在に支持され、また分割底蓋部材２５ｂは軸２４ｂ，２９ｂによって遊技機本体の前後方向に回動自在に支持されている。
【００２６】
また上記回動操作部材２６は、底蓋部材２５を回動させるためのものであり、メダル受け皿１６の右端部１６ａから右方に突出する軸３０の一端に固定されている。当該軸３０は、矢印Ａ方向に延在した状態で右端部１６ａに回動自在に支持されており、右端部１６ａの内方に延びる他端部には、後述する底蓋回動機構２８の主動歯車３３が連結されている。
【００２７】
上記底蓋回動機構２８は、図２及び図３に示すように、回動操作部材２６と底蓋部材２５との間に介在されて、回動操作部材２６の回動力に基づき、底蓋部材２５を、メダル受け皿１６の底部（以下、受け皿底部とも言う）を閉止状態とする第１位置（図２及び図５参照）から受け皿底部を開放状態とする第２位置（図３及び図６参照）に回動させるように構成されている。当該底蓋回動機構２８は、図４に示すように、メダル受け皿１６の右端部１６ａ内に収容されたケース２８ａを備えており、該ケース２８ａの略中央部分に主動歯車３３が収容され、且つ該主動歯車３３に連結した軸３０がケース２８ａに回転自在に支持されている。
【００２８】
ケース２８ａ内には、主動歯車３３の一方の側に、軸３５で支持された従動歯車３２と、軸２９ａで支持された従動歯車３１とが配置されており、従動歯車３１は従動歯車３２を介して主動歯車３３に噛合連動している。更にケース２８ａ内には、主動歯車３３の他方の側に、軸２９ｂで支持された従動歯車３４が配置されて、主動歯車３３に噛合連動している。従動歯車３１は、分割底蓋部材２５ａに固定された軸２９ａを介して分割底蓋部材２５ａと一体的に回動可能に構成され、また従動歯車３４は、分割底蓋部材２５ｂに固定された軸２９ｂを介して分割底蓋部材２５ｂと一体的に回動可能に構成されている。
【００２９】
軸２９ａには、コイルスプリング３９のコイル部が適宜の隙間をあけた状態で嵌合しており、このコイルスプリング３９の一端３９ａが右端部１６ａ側に固定され、且つ他端３９ｂが従動歯車３１側に固定されている。また軸２９ｂには、コイルスプリング４０のコイル部が適宜の隙間をあけた状態で嵌合しており、このコイルスプリング４０の一端４０ａが右端部１６ａ側に固定され、且つ他端４０ｂが従動歯車３４側に固定されている。
【００３０】
従って、回動操作部材２６の回動操作で主動歯車３３が図４の時計回り方向に回動する際、従動歯車３１はコイルスプリング３９の回動付勢力に抗して図４の時計回り方向に回動し、従動歯車３４はコイルスプリング４０の回動付勢力に抗して図４の反時計回り方向に回動する。これにより、分割底蓋部材２５ａが軸２４ａ，２９ａを中心として図２〜図４における時計回り方向に回動し、分割底蓋部材２５ｂが軸２４ｂ，２９ｂを中心として図２〜図４における反時計回り方向に回動するので、底蓋部材２５は遊技機本体前後方向における中央部分が横一直線状に割れた形で大きく開放することになる。なお、分割底蓋部材２５ａ，２５ｂは夫々、図５に示す閉止状態で互い違いに係合し合う係合突部２５ｃ，２５ｄを備えている。
【００３１】
そして、底蓋回動機構２８にはラチェット機構が配設されている。このラチェット機構は、回動操作部材２６の一方向（図４の時計回り方向）の回動を許容し、且つ他方向（図４の反時計回り方向）の回動を阻止するように機能するものであり、図４に示すように、軸３０を中心として回動するラチェット歯車３６と、回動するラチェット歯車３６に係脱するストッパ３７とから構成されている。
【００３２】
ラチェット歯車３６は、右端部１６ａ内の回動操作部材２６と主動歯車３３間にて軸３０に固定されており、ストッパ３７は、右端部１６ａ内のラチェット歯車３６に対応する位置に配置されている。ストッパ３７は、不図示のトーションバネによりラチェット歯車３６に向けて常時付勢されており、ラチェット歯車３６の一方向の回転を許容すると共に他方向の回転を規制する。なお、これらラチェット歯車３６及びストッパ３７は、図２及び図３においては図示を省略している。
【００３３】
また、底蓋回動機構２８は、上記ラチェット機構（３６，３７）による回動操作部材２６の回動規制を解除する解除機構を備えている。この解除機構は、図２に示すように、メダル受け皿１６の右端部１６ａに支持された状態でストッパ３７に連動する解除レバー３８と、右端部１６ａの右方に突出し、且つ解除レバー３８に連動連結する解除ボタン４４とから構成されている。当該解除機構は、分割底蓋部材２５ａ，２５ｂが夫々開放状態に回動してラチェット機構（３６，３７）によって規制された状態にて、遊技者により解除ボタン４４が押圧操作されたとき、当該操作に連動して解除レバー３８によってストッパ３７を解除方向（図４の反時計回り方向）に回動させる。これにより、ラチェット歯車３６が解放されるので、従動歯車３１，３４が夫々にコイルスプリング３９，４０の回動付勢力に準じて回動し、分割底蓋部材２５ａ，２５ｂを夫々閉止状態に回動させる。この際、分割底蓋部材２５ａ，２５ｂの係合突部２５ｃ，２５ｄは、図５に示すように、上下に重なり合うように合致して、メダル受け皿１６内からの遊技メダルＭの落下を確実に防止する。
【００３４】
上述したコイルスプリング３９，４０は、上記解除機構（３８，４４）が回動規制を解除したとき第２位置（開放状態）の底蓋部材２５を第１位置（閉止状態）に向けて復帰させる復帰手段を構成している。
【００３５】
以下に、上述の構成を有する本スロットマシン１０の作用について説明する。即ち、まず、遊技場係員により電源がオンされると、不図示の電源ユニットから対応する部位への電源供給が開始され、スロットマシン１０は、遊技者による遊技が可能な状態となる。
【００３６】
上記状態において、遊技者が、メダル投入部２１（図１参照）に遊技メダルＭを適宜枚数投入し、ベットボタン２０を押圧操作し、スタートレバー２２を押下すると、これに応答して、不図示のＲＯＭ装置内の抽選プログラムによる抽選が行われると共に、回胴リール装置２７の横３列の回胴リール２７ａが回転し始める。更に遊技者が、３個のストップボタン２３を夫々押圧操作することで各ボタン２３に対応する回胴リール２７ａを順次停止させるが、その際、各回胴リール２７ａに備えたシンボルマークのうちの所定の絵柄同士が一致すると当たりとなり、対応する枚数の遊技メダルＭがメダル払い出し口１４からメダル受け皿１６内に放出される。
【００３７】
上述の遊技中、例えば、ビッグボーナスと呼ばれる特別役に１回当選すると、３５０〜４００枚程度の遊技メダルＭの払い出しとなり、これが連続すると、メダル受け皿１６は払い出された遊技メダルＭで直ぐに満杯になる。また、いわゆるアシストタイム（ＡＴ）の当選時にも遊技メダルＭが連続的に払い出されるため、メダル受け皿１６は遊技メダルＭで直ぐに満杯になる。これらの場合、メダル受け皿１６の下方に準備したメダル収容箱への遊技メダルＭの移し替え作業が必要になる。
【００３８】
上記移し替え作業は以下のように行う。つまり、受け皿底部が閉止状態（図２及び図５参照）にあるメダル受け皿１６の下方にメダル収容箱４１（図３参照）を配置させた状態で、遊技者が回動操作部材２６を一方向に回動操作する。すると、その回動力が、主動歯車３３から従動歯車３２，３１及び軸２９ａを介して分割底蓋部材２５ａに、従動歯車３４及び軸２９ｂを介して分割底蓋部材２５ｂに夫々伝達されて、分割底蓋部材２５ａ，２５ｂが互いに逆方向に回動し、メダル受け皿１６の受け皿底部が、図３及び図６に示すように開放状態となる。このように、回動操作部材２６の回動力に基づく底蓋回動機構２８によって分割底蓋部材２５ａ，２５ｂを、遊技機本体の幅方向に沿う軸２４ａ，２４ｂ，２９ａ，２９ｂを中心として遊技機本体の前後方向に回動させて、受け皿底部を簡単且つ確実に開放状態にすることができる。
【００３９】
この際、従動歯車３１，３４は夫々コイルスプリング３９，４０の回動付勢力に抗して回動するが、このときラチェット歯車３６にストッパ３７が１歯ずつ乗り越えて順次噛み合い、当該ラチェット歯車３６の逆転を阻止するので、分割底蓋部材２５ａ，２５ｂは解除ボタン４４が押圧操作されるまで、図２及び図５の閉止状態に戻ることはない。
【００４０】
そして、上記開放状態のメダル受け皿１６から遊技メダルＭが、図３に示すように、その下方のメダル収容箱４１に落下するため、メダル収容箱４１への遊技メダルＭの移し替え作業が極めて簡単に行われる。
【００４１】
更に、移し替え作業の終了後、遊技者が解除ボタン４４を押圧操作すると、この押圧力が不図示の部材を介して解除レバー３８に伝達されて、ストッパ３７が図４の反時計回り方向に回動してラチェット歯車３６を解放する。これにより、ラチェット歯車３６を介して逆転を阻止されていた従動歯車３１，３４がコイルスプリング３９，４０の回動付勢力に準じて夫々回動するので、分割底蓋部材２５ａ，２５ｂが図２及び図５に示す閉止状態に復帰する。
【００４２】
以上のように、遊技メダルＭをメダル受け皿１６からその下方のメダル収容箱４１に容易に落下させることができるので、メダル収容箱４１へのメダル移し替え作業を簡便に行うことができると共に、この移し替え作業に要する時間を可及的に短縮することができる。また、底蓋部材２５が、遊技機本体の前後方向に分割される一対の分割底蓋部材２５ａ，２５ｂからなるので、メダル収容箱４１内に収容された多数の遊技メダルＭの、メダル収容箱４１への落下を一層速やかに行うことができる。
【００４３】
また、メダル収容箱４１へのメダル移し替え作業を終えた遊技者が解除機構の解除ボタン４４を押圧操作することにより、ラチェット機構による回動操作部材２６の回動規制を解除して、開放状態の底蓋部材２５を閉止状態に向けて簡単に且つ確実に復帰させることができる。
【００４４】
＜第２の実施形態＞
次に、図７ないし図１１に沿って、本発明に係る第２の実施形態について説明する。本第２の実施形態は、先の第１の実施形態に比し、メダル受け皿４２の受け皿の開閉構造が異なるだけで、図１に示している他の部分は略々同一なので、同じ部分には同一符号を付して説明を省略する。
【００４５】
即ち、本第２の実施形態では、図７及び図８に示すように、メダル受け皿４２の受け皿底部の遊技機本体の幅方向（矢印Ａ方向）の略中央部に、１個の蓋部材である底蓋部材４３が配置されており、受け皿底部には、この底蓋部材４３を開閉動作自在に受け入れる開口部４２ｂが形成されている。底蓋部材４３は、遊技機本体の幅方向（図７における矢印Ａ方向）に沿う軸５１，５２にて支持されて、メダル受け皿４２を、遊技メダルＭの落下を規制する閉止状態（図７及び図１０参照）と許容する開放状態（図８及び図１１参照）とに変更するように回動し得る。そして、受け皿底部は、底蓋部材４３に向かって両側から夫々下方に傾斜する傾斜面４２ｃ（図９を併せて参照）を備えている。
【００４６】
上記底蓋部材４３は、図７に示すように、メダル受け皿４２内の傾斜面４２ｃに沿って中央側に移行する遊技メダルＭを、下部中央に多く落下させるように導く形状を有する凹部４３ａと、受け皿底部側に形成された係合突部４２ｄ（図１０及び図１１参照）に、当該受け皿底部の閉止状態にて係合する係合突部４３ｂとを有している。
【００４７】
また、メダル受け皿４２の右端部４２ａには、第１の実施形態と同様、メダル受け皿４２の右方に突出するように回動操作部材４６が配置されており、右端部４２ａの内方には、第１実施形態よりも簡素に構成された底蓋回動機構４８が収納されている。
【００４８】
上記底蓋回動機構４８は、図２における底蓋回動機構２８と同様にケース４８ａを有しており、該ケース４８ａには、主動歯車４９が収容され、且つ該主動歯車４９に連結した軸４７が回転自在に支持されている。ケース４８ａ内には、主動歯車４９の一方の側に、軸５１で支持されると共に主動歯車４９に噛合する従動歯車５０が配置されている。従動歯車５０は、底蓋部材４３に固定された軸５１を介して底蓋部材４３と一体的に回動可能に構成されている。
【００４９】
また、図示はしないが、底蓋回動機構４８においても底蓋回動機構２８と同様、回動操作部材４６の一方向の回動を許容し且つ他方向の回動を阻止するラチェット機構と、解除ボタン４４と共に機能してラチェット機構による回動操作部材４６の回動規制を解除する解除機構と、この解除機構が回動規制を解除したとき第２位置（図８及び図１１参照）の底蓋部材４３を第１位置（図７及び図１０参照）に向けて復帰させる復帰手段とを備えている。
【００５０】
本第２の実施形態におけるスロットマシン１０では、先の第１の実施形態の場合と同様、回動操作部材４６を回動操作することによって底蓋部材４３を開放させ、遊技メダルＭをメダル収容箱４１に簡便に移し替えることができ、また解除ボタン４４を押圧操作することによって底蓋部材４３を第２位置に復帰させ、メダル受け皿４２を閉止状態にすることができると共に、以下の効果も奏することができる。
【００５１】
即ち、本第２の実施形態では、底蓋部材４３が遊技機本体の幅方向の略中央部に配置された１個の蓋部材からなることにより、回動操作部材４６を回動操作するだけで底蓋部材４３を回動させて受け皿底部を開放状態にし得る構造が、より簡素な構成によって実現される。また、底蓋部材４３を開放する場合、メダル受け皿内４２内の遊技メダルＭを、底蓋部材４３開放後の開口部４２ｂに向かって傾斜面４２ｃにより案内しつつ、より簡便に遊技メダルＭをメダル収容箱４１に落下させることができる。
【００５２】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５３】
【図１】本発明の第１の実施形態におけるスロットマシンの外部構造を概略的に示す斜視図である。
【図２】本スロットマシンのメダル受け皿及びその周辺部を拡大して示す斜視図である。
【図３】図２に示したメダル受け皿の開放状態を示す斜視図である。
【図４】メダル受け皿に備えた底蓋回動機構の詳細を示す側面図である。
【図５】メダル受け皿の閉止状態を示す側面断面図である。
【図６】メダル受け皿の開放状態を示す側面断面図である。
【図７】本発明の第２の実施形態におけるメダル受け皿及びその周辺部を拡大して示す斜視図である。
【図８】図７に示したメダル受け皿の開放状態を示す斜視図である。
【図９】メダル受け皿の底面の傾斜形状を示す正面図である。
【図１０】メダル受け皿の閉止状態を示す側面断面図である。
【図１１】メダル受け皿の開放状態を示す側面断面図である。
【符号の説明】
【００５４】
１０…スロットマシン（遊技機）
１６，４２…メダル受け皿
２５，４３…底蓋部材
２５ａ，２５ｂ…分割底蓋部材
２６，４６…回動操作部材
２７…回胴リール装置
２８，４８…底蓋回動機構
３６…ラチェット歯車
３７…ストッパ
３８…解除レバー
３９，４０…コイルスプリング（復帰手段）
４２ｃ…傾斜面
４４…解除ボタン
Ｍ…遊技メダル
【図１】
2005204701.tif 000003
【図２】
2005204701.tif 000004
【図３】
2005204701.tif 000005
【図４】
2005204701.tif 000006
【図５】
2005204701.tif 000007
【図６】
2005204701.tif 000008
【図７】
2005204701.tif 000009
【図８】
2005204701.tif 000010
【図９】
2005204701.tif 000011
【図１０】
2005204701.tif 000012
【図１１】
2005204701.tif 000013